(57)【特許請求の範囲】
【請求項１】
通信網とデ−タを取交わす通信網連結手段、デ−タを貯蔵する手段、デ−タを非同期伝送モ−ドで処理し前記通信網連結手段とデ−タを取交わすデ−タ処理手段、前記デ−タを復号化する復号化手段、デ−タ通信装置を含むシステムと連なるシステム連結手段とを有するオ−バ−レイ機能を有するデ−タ通信装置のデ−タ処理方法において、
（ａ）デ−タが前記通信網を通して取交わすか否かを判断する段階と、
（ｂ）前記（ａ）段階の結果がＹＥＳなら、前記デ−タがＭＰＥＧ圧縮された第１デ−タであるか、ＭＰＥＧ圧縮されていない第２データであるかを判断する段階と、
（ｃ）前記（ｂ）段階により、第２データであると判断された場合、前記復号化手段と前記貯蔵手段の連結を遮断する段階と、
（ｄ）前記第２デ−タが送信するデ−タか、受信されたデ−タかを判断する段階と、
（ｅ）前記（ｄ）段階の結果によって、前記第２デ−タが送信するデ−タの場合、前記第２デ−タを前記貯蔵手段に貯蔵し、かつ、前記貯蔵された第２デ−タを前記通信網へ伝送し、前記第２デ−タが受信されたデ−タの場合、前記貯蔵手段に第２デ−タを貯蔵し、かつ、前記貯蔵された第２デ−タを読み出してシステムに供給する段階と、
（ｆ）前記（ｂ）段階により、第１データであると判断された場合、前記システム連結手段と前記貯蔵手段の連結を遮断し、前記ＭＰＥＧ圧縮されたデ−タを前記貯蔵手段に貯蔵する段階と、
（ｇ）前記（ａ）段階の結果がＮＯなら、前記デ−タ処理手段と前記貯蔵手段の連結を遮断して前記デ−タを貯蔵する段階と、
（ｈ）前記ＭＰＥＧ圧縮されたデ−タを復号化してオ−バ−レイさせる段階とを備えることを特徴とするオ−バ−レイ機能を有するデ−タ処理方法。
【発明の詳細な説明】
【０００１】
【発明の属する技術分野】
本発明はパソコン用カ−ドに係り、特に通信機能を遂行すると共に通信網を通して受信したデ−タをモニタ−にオ−バ−レイさせるデ−タ通信装置及びその装置で遂行されるデ−タ処理方法に関する。
【０００２】
【従来の技術】
通信網を用いるデ−タ通信は、広く使用されているマルチメディアパソコンの最も大きい応用分野中の一つである。
ＭＰＥＧ（Moving Picture Expert Group : 以下、ＭＰＥＧという）は動く画像を効率的に圧縮することに関するＩＳＯ（国際標準協会）のＷＧ８（Working Group ８）の一委員会、または、それによる圧縮規約（ＣＣＩＴＴ  Ｈ２６１）をいう。
【０００３】
従来は通信網カ−ドとビデオオ−バ−レイがそれぞれ別途に用いられてきた。即ち、ＭＰＥＧ動映像デ−タ、テキストデ−タ及び電子メ−ルデ−タは通信網カ−ドを通して伝送されて貯蔵装置に貯蔵され、再び、貯蔵されたデ−タを読み出し、読み出されたデ−タをビデオオ−バレイカ−ドに伝達して画面に示す過程が従来の通信機能とオ−バ−レイ機能を遂行する方式である。この方式では、通信網カ−ドとビデオオ−バレイカ−ド間のデ−タ伝送を行う中央処理装置と貯蔵装置に与えられる負荷が大きくなり、システムの全体的な性能が劣化する問題がある。
【０００４】
【発明が解決しようとする課題】
本発明の目的は前記のような従来の問題点を解決するために通信機能とオ−バ−レイ機能を同時に遂行するオ−バ−レイ機能を有するデ−タ通信装置を提供するにある。
本発明の他の目的は本発明によるオ−バ−レイ機能を有するデ−タ通信装置で遂行されるデ−タ処理方法を提供するにある。
【０００５】
【課題を解決するための手段】
前記の目的を達成するために本発明によるデ−タ通信機能とオ−バ−レイ機能を統合したオ−バ−レイ機能を有するデ−タ通信装置は、通信網を通してデ−タを取交わすための通信網連結手段と、中央制御信号により制御されて前記デ−タを貯蔵する貯蔵手段と、前記中央制御信号により制御されて前記デ−タを非同期伝送モ−ドで処理し、第１制御信号により制御されて前記貯蔵手段または前記通信網連結手段と前記デ−タを取交わすデ−タ処理手段と、前記中央制御信号により制御されて前記デ−タを復号化し、第２制御信号により制御されて前記貯蔵手段から前記デ−タを受ける復号化手段と、前記デ−タ通信装置を含み、前記中央制御信号を発生するシステムと連なり、第３制御信号により制御されて前記貯蔵手段と前記デ−タを取交わすシステム連結手段と、前記復号化手段から前記デ−タを供給されてモニタ−にオ−バ−レイさせるオ−バ−レイ手段と、前記中央制御信号により制御されて前記第１、第２及び第３制御信号を発生する伝送制御手段とを備えることを特徴とする。
【０００６】
前記他の目的を達成するために本発明によるオ−バ−レイ機能を有するデ−タ処理方法は、通信網とデ−タを取交わす通信網連結手段、デ−タを貯蔵する手段、デ−タを非同期伝送モ−ドで処理し前記通信網連結手段とデ−タを取交わすデ−タ処理手段、前記デ−タを復号化する復号化手段、デ−タ通信装置を含むシステムと連なるシステム連結手段とを有するオ−バ−レイ機能を有するデ−タ通信装置のデ−タ処理方法において、（ａ）デ−タが前記通信網を通して取交わすか否かを判断する段階と、（ｂ）前記（ａ）段階の結果がＹＥＳなら、前記デ−タがＭＰＥＧ圧縮されたデ−タ（第１デ−タ）か否かを判断する段階と、（ｃ）前記デ−タが前記ＭＰＥＧ圧縮されたデ−タでない場合（第２デ−タ）、前記復号化手段と前記貯蔵手段の連結を遮断する段階と、（ｄ）前記第２デ−タが送信するデ−タか、受信されたデ−タか否かを判断する段階と、（ｅ）前記（ｄ）段階の結果によって第２デ−タを前記通信網を通して伝送したり、前記システムを通して出力するデ−タ処理段階と、（ｆ）前記デ−タが前記ＭＰＥＧ圧縮されたデ−タであれば、前記システム連結手段と前記貯蔵手段の連結を遮断し、前記ＭＰＥＧ圧縮されたデ−タを前記貯蔵手段に貯蔵する段階と、（ｇ）前記（ａ）段階の結果がＮＯなら、前記デ−タ処理手段と前記貯蔵手段の連結を遮断して前記デ−タを貯蔵する段階と、（ｈ）前記ＭＰＥＧ圧縮されたデ−タを復号化してオ−バ−レイさせる段階とを備えることを特徴とする。
【０００７】
【発明の実施の形態】
以下、添付した図面に基づき本発明を詳細に説明する。
図１は本発明によるオ−バ−レイ機能を有するデ−タ通信装置のブロック図であり、通信網連結部１００、デ−タ処理部１０２、貯蔵部１０４、復号部１０６、伝送制御部１０８、システム連結部１１０及びオ−バ−レイ処理部１１２より構成され、実線はデ−タの伝送経路であり、点線は制御信号の伝送経路である。
【０００８】
図２は図１に示した装置で遂行されるデ−タ処理方法を説明するためのフロ−チャ−トである。
本発明によるオ−バ−レイ機能を有するデ−タ通信装置を含むシステムの中央処理装置（図示せず）はデ−タ処理作業が通信網を通して行われるかを判断する（段階３００）。即ち、中央処理装置は図１に示したシステム連結部１１０を通してデ−タ処理部１０２に制御信号を出力してデ−タを通信網を通して入力されたか、出力される予定かを判断する。
【０００９】
中央処理装置はデ−タが通信網を通して受信されたデ−タか、通信網を通して送信されるデ−タなら、デ−タがＭＰＥＧ圧縮されたデ−タか否かを判断して（３０２段階）、ＭＰＥＧ圧縮されたデ−タでなく、電子メ−ルデ−タやテキストデ−タなら、これらデ−タが復号化されることを防止するために図１に示した伝送制御部１０８を制御する。即ち、伝送制御部１０８は中央処理装置により制御されて復号部１０６と共有メモリとして具現可能な貯蔵部１０４のデ−タ伝送経路を第２制御信号Ｃ２により遮断する（３０４段階）。
【００１０】
３０４段階後に中央処理装置は、デ−タがシステムに伝送するデ−タか、通信網を通して伝送するデ−タであるかを判断する（３０６段階）。通信網を通して送信するデ−タの場合、送信するデ−タが貯蔵部１０４に貯蔵されるようにし（３０８段階）、伝送制御部１０８はシステム連結部１１０と貯蔵部１０４間のデ−タ伝送経路を第３制御信号Ｃ３により連結する。そして、ＡＴＭ（Asyncronous Transfer Mode）プロセッサとして具現可能なデ−タ処理部１０２が中央処理装置により制御されて貯蔵部１０４に貯蔵されたデ−タを読み出して非同期伝送モ−ド処理できるように伝送制御部１０８はデ−タ処理部１０２と貯蔵部１０４間のデ−タ伝送経路を第１制御信号Ｃ１により連結する。通信網を通して入力端子ＩＮに入力された電気的な信号を電子メ−ルデ−タやテキストデ−タ及びＭＰＥＧ圧縮されたデ−タ信号に変換させる通信網連結部１００はデ−タ処理部１０２で処理されたデ−タを出力端子ＯＵＴ２を通して通信網に伝送する（３１０段階）。
【００１１】
ここで、ＡＴＭは、現在広帯域ＩＳＤＮ（Integrated Services Digital Network）を具現するための最適の伝送モ−ドであり、ＣＣＩＴＴにより採択された新たな情報伝達体系方式であり、これは音声、画像、デ−タなどのいずれのトラヒックも“セル”という５３バイトに固定された長さのパケットに載せて伝送する。そして、トラヒック特性の観点から調べると、交信性デ−タとビデオ信号のようにバ−スト特性を有するＶＢＲ（Variable Bit Rate）と大きいファイル情報に用いられるＣＢＲ（Constant Bit Rate）がある。また、時間遅延には敏感であり、損失にはあまり敏感でない音声と画像のような信号がある反面、実時間伝送は要求しないが、損失には敏感なデ−タのような信号もある。
【００１２】
一方、電子メ−ルデ−タまたはその他のテキストデ−タが通信網を通して受信されたデ−タの場合、そのデ−タが貯蔵部１０４に貯蔵（３１２段階）されるように、伝送制御部１０８はデ−タ処理部１０２と貯蔵部１０４間のデ−タ伝送経路を第１制御信号Ｃ１により連結する。３１２段階後に中央処理装置は伝送制御部１０８が貯蔵部１０４とシステム連結部１１０間のデ−タ伝送経路を連結するように制御してデ−タをシステム連結部１１０を通してシステムに伝送する（３１４段階）。
【００１３】
一方、３０２段階でデ−タがＭＰＥＧ圧縮されたデ−タの場合と判断されれば、伝送制御部１０８はシステム連結部１１０と貯蔵部１０４間のデ−タ伝送経路を第３制御信号Ｃ３により遮断する（３１６段階）。そして、デ−タ処理作業がシステムを通して行われると、伝送制御部１０８はデ−タ処理部１０２と貯蔵部１０４のデ−タ伝送経路を第１制御信号Ｃ１により遮断する（３１８段階）。
【００１４】
３１６段階後に中央処理装置は伝送制御部１０８が第１制御信号Ｃ１を出力するように制御してデ−タ処理部１０２と貯蔵部１０４間のデ−タ伝送経路が連なるようにすることにより、通信網を通して入力されたＭＰＥＧ圧縮されたデ−タが貯蔵部１０４に貯蔵される（３２０段階）。
【００１５】
また、３１８段階後に伝送制御部１０８はシステム連結部１１０と貯蔵部１０４間のデ−タ伝送経路を第３制御信号Ｃ３により連結してシステムから本発明による通信装置に入力されたデ−タが貯蔵部１０４に貯蔵されるようにする（３２０段階）。
【００１６】
３２０段階後に伝送制御部１０８は貯蔵部１０４と復号部１０６間のデ−タ伝送経路を第２制御信号Ｃ２により連結して復号部１０６が貯蔵部１０８に貯蔵されたデ−タを読み出してデ−タを復号化可能にする（３２２段階）。
【００１７】
３２２段階で復号化されたデ−タはオ−バ−レイ処理部１１２に入力されてモニタ−にオ−バ−レイされるように処理される（３２４段階）。３２４段階後に処理されたデ−タは出力端子ＯＵＴ１を通してモニタ−に出力される。
【００１８】
【発明の効果】
以上述べたように、本発明によるオ−バ−レイ機能を有するデ−タ通信装置及びその装置で遂行されるデ−タ処理方法は通信網カ−ドとビデオオ−バ−レイカ−ドを統合して一つのカ−ドとして使用するので、中央処理装置と貯蔵装置に与えられる負荷を減らしてマルチメディアパソコンの性能を改善し、パソコン用ＩＳＡバススロットに装着することができる。
【図面の簡単な説明】
【図１】  本発明によるオ−バ−レイ機能を有するデ−タ通信装置を説明するためのブロック図である。
【図２】  図１に示した装置で遂行される本発明によるデ−タ処理方法を説明するためのフロ−チャ−トである。
【符号の説明】
１００  通信網連結部
１０２  データ処理部
１０４  貯蔵部
１０６  複合部
１０８  伝送制御部
１１０  システム連結部
１１２  オーバーレイ処理部
【図１】
0003759541.tif 000002
【図２】
0003759541.tif 000003